(57)【特許請求の範囲】
【請求項１】
複数のパネルを連結することによって構成された仕切り壁であって、
上記各パネルは、互いに平行に配置された矩形状の２枚の表面材と、該２枚の表面材の間において上記２枚の表面材の周縁よりも内側の位置に固定された矩形状の枠材とを有し、上記２枚の表面材と上記枠材とによって周囲側面の各辺に雌実が形成され、
隣接する各２つの上記パネルは、互いに対向する上記雌実に跨がる角材からなる連結材にそれぞれ固定されることによって連結され、
上記複数のパネルのうちの床直上に立設される複数の下部パネルは、上記床に固定された１本の角材からなる床固定材の異なる部分がそれぞれ下辺の上記雌実に嵌まるように配置されて該床固定材に固定され、
上記複数のパネルのうちの壁に沿って上下に配置される複数の壁際パネルは、上記壁に固定された１本の角材からなる壁固定材の異なる部分がそれぞれ上記壁に対向する上記雌実に嵌まるように配置されて該壁固定材に固定され、
上記枠材は、断面形状が等しい４本の角材で構成され、
上記連結材は、上記枠材を構成する角材と断面形状が等しい角材で構成され、
上記床固定材及び上記壁固定材は、上記枠材を構成する角材と厚さが等しく上記雌実の幅を超えない幅の角材で構成されている
ことを特徴とする仕切り壁。
【請求項２】
請求項１において、
上記枠材を構成する４本の角材は、上記２枚の表面材の間において上記２枚の表面材の周縁から所定長さ分だけ内側の位置で固定されている
ことを特徴とする仕切り壁。
【請求項３】
請求項１又は２において、
上記床固定材と上記壁固定材とは、断面形状が等しい角材で構成されている
ことを特徴とする仕切り壁。
【請求項４】
請求項１乃至３のいずれか１つにおいて、
上記仕切り壁は、対面式キッチンの背面を覆うように該対面式キッチンの背面側に設けられている
ことを特徴とする仕切り壁。
【発明の詳細な説明】
【技術分野】
【０００１】
本発明は、室内空間を仕切る仕切り壁及びその施工方法に関するものである。
【背景技術】
【０００２】
住宅等の既存の間取りを変更するリフォームに際し、室内空間に新たに仕切り壁を施工することがある。その際、１枚のパネルで仕切り壁を形成すると、パネルの運搬や施工が困難となる。そのため、従来、複数のパネルを接合することによって壁を形成する施工方法が提案されている（例えば、下記の特許文献１を参照）。
【０００３】
特許文献１には、矩形のパネル枠の両側に２枚の表面板が取り付けられ、内部に断熱材が充填されたモジュールパネルを複数用いて、床構造体、壁構造体、天井構造体を施工する施工方法が開示されている。このような施工方法によれば、大型のパネルを運搬する必要がなく、小型のモジュールパネルを接合するだけでよいため、施工時に作業者にかかる負担を軽減することができる。
【０００４】
上記特許文献１では、上記モジュールパネルは、四周のパネル端面のうちの１つが、枠材が表面板の端辺から外側に突出した凸側端面となり、残りの３つが、枠材が表面板の端辺から内側に後退した凹側端面となるように構成されている。そして、上記特許文献１では、一方のモジュールパネルの凸部を他方のモジュールパネルの凹部に差し込んで固定する、又は２枚のモジュールパネルの凹部に跨がるように連結材を差し込んで固定することにより、２枚のモジュールパネルを接合することとしている。
【先行技術文献】
【特許文献】
【０００５】
【特許文献１】特開２０１９−２７２２５号公報
【発明の概要】
【発明が解決しようとする課題】
【０００６】
しかしながら、上記特許文献１の仕切り壁では、モジュールパネルの四周のパネル端面の１つが凸側端面であるため、施工時にパネルの向きを確認する必要があり、施工に手間取るおそれがあった。また、既存の床上に仕切り壁を施工する場合、床上において複数のパネルを精度よく平行に組み立てるのは非常に困難な作業であり、ゆがみが発生する虞があった。
【０００７】
本発明は斯かる点に鑑みてなされたもので、その目的は、容易にゆがみなく施工可能な仕切り壁及びその施工方法を提供することにある。
【課題を解決するための手段】
【０００８】
上記の目的を達成するために、本発明では、仕切り壁に、四周に雌実が形成された複数のパネルを用いることとし、複数のパネルのうちの床直上に立設される複数の下部パネルを、床に固定された角材からなる床固定材に固定することとした。
【０００９】
具体的には、第１の発明は、複数のパネルを連結することによって構成された仕切り壁であって、上記各パネルは、互いに平行に配置された矩形状の２枚の表面材と、該２枚の表面材の間において上記２枚の表面材の周縁よりも内側の位置に固定された矩形状の枠材とを有し、上記２枚の表面材と上記枠材とによって周囲側面の各辺に雌実が形成され、隣接する各２つの上記パネルは、互いに対向する上記雌実に跨がる角材からなる連結材にそれぞれ固定されることによって連結され、上記複数のパネルのうちの床直上に立設される複数の下部パネルは、上記床に固定された角材からなる床固定材が下辺の上記雌実に嵌まるように配置されて該床固定材に固定されていることを特徴とするものである。
【００１０】
第１の発明では、仕切り壁を、四周に雌実が形成された複数のパネルを、隣接する２つのパネルの雌実に跨がる連結材で連結することによって構成することとしている。このように四周に雌実が形成されたパネルを用いることにより、上下と左右が反転しても同様に施工することができる。よって、施工時にパネルの向きを確認する必要がなく、仕切り壁を容易に施工することができる。
【００１１】
また、第１の発明では、複数のパネルが、平行な２枚の矩形状の表面材と、２枚の表面材の間において２枚の表面材の周縁よりも内側の位置に固定された矩形状の枠材とによって四周に雌実が形成されたパネルで構成されている。複数のパネルをこのように構成することにより、隣接する各２枚のパネルの対向する雌実に、角材からなる連結材を嵌め込んで固定するだけで、各２つのパネルを容易にしっかりと連結することができる。また、複数のパネルを同様の構成とすることにより、複数のパネルを連結する連結材を、断面形状の等しい１種類の角材で構成することができる。さらに、角材を連結材として用いることにより、仕切り壁の強度自体も向上させることができる。
【００１２】
また、第１の発明では、複数のパネルのうちの床直上に立設される複数の下部パネルを、床に固定された角材からなる床固定材が下辺の雌実に嵌まるように配置し、床固定材に固定することにより、床直上に立設することとしている。このような構成により、複数の下部パネルを、下辺の雌実を床固定材に嵌めながら連結していくだけで、複数の下部パネルが平行に連結されているかを確認することなく、複数の下部パネルを容易にゆがみなくしっかりと連結することができる。また、角材を床固定材として用いることにより、仕切り壁をしっかりと床上に自立させることができ、さらに、仕切り壁の強度自体も向上させることができる。
【００１３】
また、第１の発明では、上述のように、各パネルの四周に、パネル同士を連結する連結材や下部パネルを床に固定する床固定材が嵌まる雌実が形成されている。このような構成により、２つのパネルの対向する雌実に連結材を嵌めてパネル同士を連結する際にも、下部パネルの下辺の雌実に床固定材を嵌めて下部パネルを床に固定する際にも、各パネルの外側から連結材又は床固定材に向かってビスを打ち込むことができるため、各固定作業を容易に行うことができる。
【００１４】
第２の発明は、第１の発明において、上記枠材は、断面形状が等しい４本の角材によって構成され、上記連結材と上記枠材とは、断面形状が等しい角材で構成されていることを特徴とするものである。
【００１５】
第２の発明では、複数のパネルを連結する連結材が、各パネルの枠材を構成する角材と断面形状が等しい角材で構成されている。つまり、複数のパネルの枠材と複数のパネルを連結する連結材とを、１種類の角材で構成することができる。そのため、枠材を連結材に転用したり、連結材を枠材に転用したりすることができる。
【００１６】
第３の発明は、第１又は第２の発明において、上記複数のパネルのうちの壁に沿って上下に配置される複数の壁際パネルと上記壁とを連結する壁固定材をさらに備え、上記複数の壁際パネルは、上記壁に固定された角材からなる上記壁固定材が上記壁に対向する上記雌実に嵌まるように配置され、該壁固定材に固定されていることを特徴とするものである。
【００１７】
第３の発明では、複数のパネルのうちの壁に沿って上下に配置される複数の壁際パネルを、壁に固定された角材からなる壁固定材が壁に対向する雌実に嵌まるように配置し、壁固定材に固定することにより、壁際に施工することとしている。このような構成により、複数の壁際パネルを、壁に対向する雌実を壁固定材に嵌めながら連結していくだけで、複数の壁際パネルが平行に連結されているかを確認することなく、容易にゆがみなく連結することができる。また、角材を壁固定材として用いることにより、仕切り壁をしっかりと壁に固定することができ、さらに、仕切り壁の強度自体も向上させることができる。
【００１８】
第４の発明は、第３の発明において、上記床固定材と上記壁固定材とは、断面形状が等しい角材で構成されていることを特徴とするものである。
【００１９】
第４の発明では、複数の下部パネルを床に固定するための床固定材と、複数の壁際パネルを壁に固定するための壁固定材とを、１種類の角材で構成することができる。そのため、床固定材を壁固定材に転用したり、壁固定材を床固定材に転用したりすることができる。
【００２０】
第５の発明は、第１乃至第４のいずれか１つの発明において、上記仕切り壁は、対面式キッチンの背面を覆うように該対面式キッチンの背面側に設けられていることを特徴とするものである。
【００２１】
第５の発明では、対面式キッチンの背面を覆う仕切り壁を、上述のような構成とすることにより、容易にゆがみなく施工することができる。また、このような構成によれば、背面に化粧材が設けられていない壁付け用のキッチンの背面側に上記仕切り壁を立設することにより、対面式キッチンを安価に且つ容易に施工することができる。
【００２２】
第６の発明は、第１の発明に係る仕切り壁の施工方法であって、上記床に上記床固定材を固定するガイド固定工程と、上記ガイド固定工程の後、隣接する第１及び第２下部パネルを含む上記複数の下部パネルのうちの上記第１下部パネルを、上記床固定材が下辺の上記雌実に嵌まるように配置し、該連結材に固定する第１パネル固定工程と、上記第１下部パネルの上記第２下部パネルに対向する上記雌実に上記連結材を嵌め、該連結材を上記第１下部パネルに固定した後、上記第２下部パネルを、上記床固定材が下辺の上記雌実に嵌まり、且つ上記連結材の上記第１下部パネルから露出した部分が該第１下部パネルに対向する上記雌実に嵌まるように配置し、上記床固定材と上記第２下部パネルを固定すると共に上記連結材と上記第２下部パネルを固定する第２パネル固定工程とを備えていることを特徴とするものである。
【００２３】
第６の発明では、角材からなる床固定材を床に固定した後、第１及び第２下部パネルを床固定材に順に固定することとしている。このような施工方法により、第１及び第２下部パネルを、下辺の雌実を床固定材に嵌めながら連結していくだけで、第１及び第２下部パネルが平行に連結されているかを確認することなく、容易にゆがみなく一直線に連結することができる。
【００２４】
第７の発明は、第３の発明に係る仕切り壁の施工方法であって、上記床に上記床固定材を固定すると共に上記壁に上記壁固定材を固定するガイド固定工程と、上記ガイド固定工程の後、隣接する第１及び第２下部パネルを含む上記複数の下部パネルのうちの上記壁際パネルである第１下部パネルを、上記床固定材が下辺の上記雌実に嵌まり、且つ上記壁固定材が上記壁に対向する上記雌実に嵌まるように配置し、上記床固定材と上記第１下部パネルとを固定すると共に上記壁固定材と上記第１下部パネルとを固定する第１下部パネル固定工程と、上記第１下部パネルの上辺の上記雌実に上記連結材を嵌め、該連結材を上記第１下部パネルに固定した後、上記複数の壁際パネルのうちの第１下部パネルの直上の上部パネルを、上記壁固定材が上記壁に対向する上記雌実に嵌まり、且つ上記連結材の上記第１下部パネルから露出した部分が下辺の上記雌実に嵌まるように配置し、上記壁固定材と上記上部パネルを固定すると共に上記連結材と上記上部パネルを固定する上部パネル固定工程と、上記第１下部パネルの上記第２下部パネルに対向する上記雌実に上記連結材を嵌め、該連結材を上記第１下部パネルに固定した後、上記第２下部パネルを、上記床固定材が下辺の上記雌実に嵌まり、且つ上記連結材の上記第１下部パネルから露出した部分が上記第１下部パネルに対向する上記雌実に嵌まるように配置し、上記床固定材と上記第２下部パネルを固定すると共に上記連結材と上記第２下部パネルを固定する第２下部パネル固定工程とを備えていることを特徴とするものである。
【００２５】
第７の発明では、角材からなる床固定材を床に固定した後、第１及び第２下部パネルを床固定材に順に固定することとしている。このような施工方法により、第１及び第２下部パネルを、下辺の雌実を床固定材に嵌めながら連結していくだけで、第１及び第２下部パネルが平行に連結されているかを確認することなく、容易にゆがみなく一直線に連結することができる。
【００２６】
また、第７の発明では、角材からなる壁固定材を壁に固定した後、壁際パネルであって上下に隣接する第１下部パネルと上部パネルとを壁固定材に順に固定することとしている。このような施工方法により、第１下部パネル及び上部パネルを、壁に対向する雌実を壁固定材に嵌めながら連結していくだけで、第１下部パネル及び上部パネルが平行に連結されているかを確認することなく、容易にゆがみなく一直線に連結することができる。
【００２７】
第８の発明は、第６又は第７の発明において、上記複数の下部パネルは、上記第２下部パネルの上記第１下部パネルとは逆側に連結される第３下部パネルを含み、上記第２下部パネルの上記第３下部パネルに対向する上記雌実に上記連結材を嵌め、該連結材を上記第２下部パネルに固定した後、上記第３下部パネルを、上記床固定材が下辺の上記雌実に嵌まり、且つ上記連結材の上記第２下部パネルから露出した部分が上記第２下部パネルに対向する上記雌実に嵌まるように配置し、上記床固定材と上記第３下部パネルを固定すると共に上記連結材と上記第３下部パネルを固定する第３下部パネル固定工程をさらに備えていることを特徴とするものである。
【００２８】
第８の発明では、第２下部パネルに隣接する第３下部パネルも、角材からなる床固定材に固定することとしている。そのため、第３下部パネルを、下辺の雌実を床固定材に嵌めながら第２下部パネルに連結するだけで、第３下部パネルが第１及び第２下部パネルと平行に連結されているかを確認することなく、容易にゆがみなく第１及び第２下部パネルに平行に連結することができる。
【発明の効果】
【００２９】
以上説明した如く、本発明によると、仕切り壁に、四周に雌実が形成された複数のパネルを用いることとし、複数のパネルのうちの床直上に立設される複数の下部パネルを、床に固定された角材からなる床固定材に固定することにより、容易にゆがみなく施工可能な仕切り壁を提供することができる。
【００３０】
また、本発明によると、角材からなる床固定材を床に固定した後、第１及び第２下部パネルを床固定材に順に固定することにより、平行に連結されているかを確認することなく、容易に床上にゆがみなく施工可能な仕切り壁の施工方法を提供することができる。
【図面の簡単な説明】
【００３１】
【図１】図１は、実施形態１の仕切り壁が設けられた対面式キッチンの斜視図である。
【図２】図２は、仕切り壁の分解斜視図である。
【図３】図３は、仕切り壁を居室側から視た側面図である。
【図４】図４は、図３のIV−IV線断面図である。
【図５】図５は、パネルの分解斜視図である。
【図６】図６は、実施形態１の仕切り壁の施工方法のガイド固定工程により、床固定材及び壁固定材が固定された状態を示す斜視図である。
【図７】図７は、実施形態１の仕切り壁の施工方法の第１下部パネル固定工程により、第１下部パネルが立設され、上部パネル固定工程により、第１下部パネルに連結材が固定された状態を示す斜視図である。
【図８】図８は、実施形態１の仕切り壁の施工方法の上部パネル固定工程により、第１下部パネルの直上に上部パネルが立設され、第２下部パネル固定工程により、第１下部パネルに連結材が固定された状態を示す斜視図である。
【図９】図９は、実施形態１の仕切り壁の施工方法の第２下部パネル固定工程により、第１下部パネルの側方に第２下部パネルが立設され、第３下部パネル固定工程により、第２下部パネルに連結材が固定された状態を示す斜視図である。
【図１０】図１０は、実施形態１の仕切り壁の施工方法の第３下部パネル固定工程により、第２下部パネルの側方に第３下部パネルが立設され、仕切り壁が完成した状態を示す斜視図である。
【発明を実施するための形態】
【００３２】
以下、本発明の実施形態を図面に基づいて詳細に説明する。以下の実施形態の説明は、本質的に例示に過ぎず、本発明、その適用物或いはその用途を制限することを意図するものでは全くない。
【００３３】
《実施形態１》
実施形態１では、本発明に係る仕切り壁の一例として、図１に示すように、対面式キッチンＫの背面を覆うように設けた対面式キッチン用の仕切り壁１０について説明する。本実施形態１では、対面式キッチンＫは、一側面が壁付けされた所謂ペニンシュラ型のキッチンである。また、本実施形態１では、対面式キッチンＫには、背面を覆う仕切り壁１０の他に、壁付けされない他の側面を覆うサイドパネル６０が設けられている。
【００３４】
−仕切り壁の構成−
図２〜図４に示すように、仕切り壁１０は、４枚のパネル２０，…，２０を連結することによって構成されている。４枚のパネル２０，…，２０は、第１〜第３下部パネル２０Ａ〜２０Ｃと上部パネル２０Ｄとによって構成されている。
【００３５】
第１〜第３下部パネル２０Ａ〜２０Ｃは、床Ｆの直上に左右方向（横方向）に一直線上に順に配置され、左右方向に隣接するパネル同士が連結材３０を介して連結されている。第１〜第３下部パネル２０Ａ〜２０Ｃは、複数のパネル２０，…，２０のうちの床Ｆの直上に立設される複数の下部パネルを構成する。
【００３６】
また、第１下部パネル２０Ａと上部パネル２０Ｄとは、壁Ｗに沿って上下方向（縦方向）に隣接し、連結材３０を介して連結されている。第１下部パネル２０Ａと上部パネル２０Ｄとは、複数のパネル２０，…，２０のうちの壁Ｗに沿って上下に配置される複数の壁際パネルを構成する。
【００３７】
仕切り壁１０では、床Ｆの直上に立設される第１〜第３下部パネル２０Ａ〜２０Ｃが、床固定材４０によって床Ｆに連結され、壁Ｗに沿って上下に配置される第１下部パネルＡ及び上部パネル２０Ｄが、壁固定材４１によって壁Ｗに連結されている。なお、本実施形態１では、上部パネル２０ＤにレンジフードＨが固定されている。
【００３８】
〔パネル〕
図５に示すように、各パネル２０は、２枚の表面材２１，２１と、芯材２２とを備え、芯材２２を２枚の表面材２１，２１で挟み込んだ所謂フラッシュ構造のパネルである。
【００３９】
２枚の表面材２１，２１は、寸法の等しい矩形状の２枚の合板によって形成されている。なお、表面材２１，２１は、合板に限られない。ある程度の強度を有するものであれば、いかなる板材を表面材２１として用いてもよい。
【００４０】
芯材２２は、矩形状の枠材２３と、枠材２３の内側に配置されて連結された角材からなる補強材２４とを有している。
【００４１】
枠材２３は、上下方向に延びる角材からなる２本の縦材２３ａ，２３ａと、左右方向に延びる角材からなる２本の横材２３ｂ，２３ｂとを有している。枠材２３は、２本の縦材２３ａ，２３ａの上端部と下端部とを、２本の横材２３ｂ，２３ｂでそれぞれ連結することにより、矩形状に形成されている。縦材２３ａと横材２３ｂとは、断面形状が等しい角材で構成されている。なお、縦材２３ａと横材２３ｂとは、断面形状の異なる角材で構成されていてもよい。
【００４２】
枠材２３は、上下方向の長さが２枚の表面材２１，２１の上下方向の長さよりも短く、左右方向の長さが２枚の表面材２１，２１の左右方向の長さよりも短くなるように形成されている。本実施形態１では、枠材２３は、上下方向の長さ及び左右方向の長さが、２枚の表面材２１，２１の上下方向の長さ及び左右方向の長さに対し、角材からなる連結材３０の幅ｗ１以上の長さ分だけ短くなるように形成されている。
【００４３】
補強材２４は、本実施形態１では、横材２３ｂと寸法の等しい角材によって構成されている。補強材２４は、２本の横材２３ｂ、２３ｂの中間にこれらに平行に設けられ、枠材２３（２本の縦材２３ａ，２３ａ）に連結されている。
【００４４】
なお、芯材２２は、少なくとも枠材２３を有していればよく、補強材２４を有しないものであってもよい。逆に、芯材２２は、補強材２４を１本ではなく、複数本有するものであってもよい。
【００４５】
図３〜図５に示すように、各パネル２０では、芯材２２は、２枚の表面材２１，２１の間において、枠材２３が２枚の表面材２１，２１の周縁よりも内側に位置する状態で固定されている。このように、芯材２２を２枚の表面材２１，２１の周縁よりも内側の位置に固定することにより、各パネル２０には、周囲側面の各辺に、２枚の表面材２１，２１と芯材２２の枠材２３とによって雌実５０が形成されている。なお、各パネル２０では、隣接する２枚のパネル２０，２０間の雌実５０，５０に連結材３０が嵌まるように、芯材２２は、２枚の表面材２１，２１の間において、枠材２３が２枚の表面材２１，２１の周縁よりも連結材３０の幅ｗ１の半分の長さ以上の長さ分だけ内側に位置する状態で固定されている。
【００４６】
このように、第１〜第３下部パネル２０Ａ〜２０Ｃ及び上部パネル２０Ｄは、いずれもフラッシュ構造のパネル２０で構成されている。
【００４７】
本実施形態１では、第１〜第３下部パネル２０Ａ〜２０Ｃは、高さが等しく幅が異なる大きさに形成されている。具体的には、第１〜第３下部パネル２０Ａ〜２０Ｃは、対面式キッチンＫのワークトップの上面から２００〜３００ｍｍ程度上方に突出するように設けられている。また、上部パネル２０Ｄは、上下方向に隣接する第１下部パネル２０Ａと幅が等しく高さが異なる大きさに形成されている。なお、仕切り壁１０の構成は、これに限られず、４枚のパネル２０，…，２０の全てが同じ大きさのパネルで構成されていてもよく、第１下部パネル２０Ａの高さを、第２及び第３下部パネル２０Ｂ，２０Ｃの高さと異ならせてもよい。
【００４８】
また、図１では図示を省略しているが、レンジフードＨが取り付けられた上部パネル２０Ｄと、該上部パネル２０Ｄと連結される第１下部パネル２０Ａの前面（対面式キッチンＫ側の面）には、不燃材によって構成された化粧材が取り付けられている。不燃材からなる化粧材は、上部パネル２０Ｄ及び第１下部パネル２０Ａの前面の全体に取り付けられていてもよいが、露出部分（対面式キッチンＫで隠れない部分）に少なくとも取り付けることとしてもよい。
【００４９】
本実施形態１では、第２下部パネル２０Ｂは、電源コンセント、給湯器の操作パネル、照明スイッチ等を設置可能な機能パネルに構成されている。具体的には、第２下部パネル２０Ｂの対面式キッチンＫ側の表面材２１の上部には、電源コンセント、給湯器の操作パネル、照明スイッチ等を設置するための２つの上部開口２１ａ，２１ａが形成され、その下方には、電源コンセント、給湯器の操作パネル、照明スイッチ等に接続された配線を挿通させるための挿通口２１ｂ、２１ｂが形成されている。２つの上部開口２１ａ，２１ａは、電源コンセント、給湯器の操作パネル、照明スイッチ等を設置できるように、９５ｍｍ角に形成され、対面式キッチンＫの上面よりも上方に位置するように形成されている。一方、２つの挿通口２１ｂ，２１ｂは、対面式キッチンＫの上面よりも下方に位置するように形成されている。
【００５０】
このように表面材２１に２つの上部開口２１ａ，２１ａと２つの挿通口２１ｂ，２１ｂとを形成することにより、第２下部パネル２０Ｂには、内部に２本の電気配線の挿通路が形成される。なお、本実施形態１では、フラッシュパネルの空洞が挿通路となるが、挿通路は、２つの上部開口２１ａ，２１ａと２つの挿通口２１ｂ，２１ｂとを繋ぐ配管部材を、第２下部パネル２０Ｂの内部に埋め込むことによって形成してもよい。
【００５１】
なお、本実施形態１では、第２下部パネル２０Ｂの２つの上部開口２１ａ，２１ａには、操作パネル８１，８２が設けられている。操作パネル８１には、電源コンセントと照明スイッチとが形成され、操作パネル８２は、給湯器の操作パネルである。
【００５２】
〔連結材〕
上述のように、仕切り壁１０を構成する複数のパネル２０，…，２０のうちの互いに隣接する各２枚のパネル２０，２０（第１下部パネル２０Ａと第２下部パネル２０Ｂ、第２下部パネル２０Ｂと第３下部パネル２０Ｃ、第１下部パネル２０Ａと上部パネル２０Ｄ）は、角材からなる連結材３０を介して連結されている。本実施形態１では、連結材３０は、パネル２０の芯材２２の枠材２３を構成する角材と断面形状が等しい角材で構成されている。なお、連結材３０は、芯材２２の厚みを超えない厚さで、隣接する２枚のパネル２０，２０の枠材２３間の距離（対向する２つの雌実５０の幅）を超えない幅の角材であれば、いかなる断面寸法であってもよい。
【００５３】
連結材３０は、互いに隣接する各２枚のパネル２０，２０の対向する２つの雌実５０に跨がるように設けられ、２枚のパネル２０，２０の背面側から打ち込まれたビス５１により、各パネル２０に固定されている。言い換えると、隣接する２枚のパネル２０，２０は、互いに対向する雌実５０，５０に跨がる角材からなる連結材３０にビス５１で固定されることにより、該連結材３０を介して互いに連結されている。
【００５４】
〔固定材〕
上述のように、仕切り壁１０の床Ｆの直上に一直線上に立設される第１〜第３下部パネル２０Ａ〜２０Ｃは、角材からなる床固定材４０を介して床Ｆに固定されている。本実施形態１では、床固定材４０は、パネル２０の芯材２２の枠材２３を構成する角材と厚さが等しく幅が半分の長さの角材で構成されている。なお、床固定材４０は、芯材２２の厚みを超えない厚さで、第１〜第３下部パネル２０Ａ〜２０Ｃの各枠材２３と床Ｆとの距離（各パネル２０の下辺の雌実５０の幅）を超えない幅の角材であれば、いかなる断面寸法であってもよい。
【００５５】
床固定材４０は、第１〜第３下部パネル２０Ａ〜２０Ｃの施工に先立ち、床Ｆにビス５２（図６を参照）で固定される。床固定材４０上には、第１〜第３下部パネル２０Ａ〜２０Ｃが、下辺の雌実５０に床固定材４０が嵌まるように配置され、床固定材４０は、その状態で、背面側から打ち込まれたビス５３により、第１〜第３下部パネル２０Ａ〜２０Ｃに固定されている。言い換えると、第１〜第３下部パネル２０Ａ〜２０Ｃは、床Ｆに固定された角材からなる床固定材４０が下辺の雌実５０，５０，５０に嵌まるように配置され、それぞれ床固定材４０に固定されることにより、床固定材４０を介して床Ｆに固定されている。
【００５６】
一方、仕切り壁１０の壁Ｗに沿って上下方向に一直線上に配置される第１下部パネル２０Ａと上部パネル２０Ｄとは、角材からなる壁固定材４１を介して壁Ｗに固定されている。本実施形態１では、壁固定材４１は、パネル２０の芯材２２の枠材２３を構成する角材と厚さが等しく幅が半分の長さの角材で構成されている。なお、壁固定材４１は、芯材２２の厚みを超えない厚さで、第１下部パネル２０Ａ及び上部パネル２０Ｄの各枠材２３と壁Ｗとの距離（各パネル２０の下辺の雌実５０の幅）を超えない幅の角材であれば、いかなる断面寸法であってもよい。
【００５７】
壁固定材４１は、第１下部パネル２０Ａと上部パネル２０Ｄの施工に先立ち、壁Ｗにビス５４で固定される（図６を参照）。壁固定材４１の側方には、第１下部パネル２０Ａ及び上部パネル２０Ｄが、壁Ｗに対向する雌実５０に壁固定材４１が嵌まるように配置され、壁固定材４１は、その状態で、背面側から打ち込まれたビス５５により、第１下部パネル２０Ａ及び上部パネル２０Ｄに固定されている。言い換えると、第１下部パネル２０Ａ及び上部パネル２０Ｄは、壁Ｗに固定された角材からなる壁固定材４１が壁Ｗに対向する雌実５０，５０に嵌まるように配置され、それぞれ壁固定材４１に固定されることにより、壁固定材４１を介して壁Ｗに固定されている。
【００５８】
〔仕上げ材〕
図１に示すように、仕切り壁１０を構成する各パネル２０の側面のうち、他のパネル２０、床Ｆ又は壁Ｗに対向せず、露出した側面は、笠木６１〜６３によって覆われている。具体的には、上部パネル２０Ｄの上辺側面（上端面）には、笠木６１が取り付けられている。また、上部パネル２０Ｄの壁Ｗに当接する側面とは逆側の側面には、笠木６２が取り付けられている。さらに、第２下部パネル２０Ｂ及び第３下部パネル２０Ｃの上辺側面（上端面）には、笠木６３が取り付けられている。笠木６１〜６３は、各側面を覆うことができるものであればいかなる形状、材質のものであってもよいが、本実施形態１では、ステンレス製で、断面コ字形状に形成され、パネル２０の２枚の表面材２１，２１の周縁を挟持するように設けられている。
【００５９】
また、図示を省略しているが、仕切り壁１０の背面（ビス５１，５３，５５の打ち込み側の面）は、クロス、化粧パネル又はタイル等の種々の化粧材で覆われている。なお、幅木を設けてももちろんよい。
【００６０】
−仕切り壁の施工方法−
次に、図６〜図１０を参照しながら、仕切り壁１０の施工方法について説明する。
【００６１】
まず、床固定材４０及び壁固定材４１を施工する（ガイド固定工程）。具体的には、図６に示すように、床固定材４０を、所定の設置位置に配置し、床固定材４０の上方から床Ｆに向かってビス５２を打ち込むことによって床Ｆに固定する。また、壁固定材４１を、壁Ｗに沿う所定の設置位置に配置し、壁固定材４１の側方から壁Ｗに向かってビス５４を打ち込むことによって壁Ｗに固定する。
【００６２】
次に、床固定材４０の端部に固定されるパネル２０であって、壁固定材４１にも固定される第１下部パネル２０Ａを施工する（第１下部パネル固定工程）。具体的には、図７に示すように、まず、第１下部パネル２０Ａを、床固定材４０が下辺の雌実５０に嵌まり、且つ壁固定材４１が壁Ｗに対向する雌実５０に嵌まる所定の設置位置に配置する。次に、第１下部パネル２０Ａの背面側から下辺の雌実５０内の床固定材４０に向かってビス５３を打ち込むことにより、第１下部パネル２０Ａを床固定材４０に固定する。同時に、第１下部パネル２０Ａの背面側から壁Ｗに対向する雌実５０内の壁固定材４１に向かってビス５５を打ち込むことにより、第１下部パネル２０Ａを壁固定材４１に固定する。以上のようにして、第１下部パネル２０Ａは、先に床Ｆに固定された床固定材４０と先に壁Ｗに固定された壁固定材４１とに固定されることにより、床Ｆ上において壁Ｗに対して略垂直に立設される。
【００６３】
第１下部パネル２０Ａの施工後、上部パネル２０Ｄを施工する（上部パネル固定工程）。具体的には、図７に示すように、まず、第１下部パネル２０Ａの上辺の雌実５０に連結材３０を嵌め、第１下部パネル２０Ａの背面側から上辺の雌実５０内の連結材３０に向かってビス５１を打ち込むことにより、連結材３０を第１下部パネル２０Ａに固定する。次に、図８に示すように、上部パネル２０Ｄを、第１下部パネル２０Ａに固定した連結材３０が下辺の雌実５０に嵌まり、且つ壁固定材４１が壁Ｗに対向する雌実５０に嵌まる所定の設置位置に配置する。そして、上部パネル２０Ｄの背面側から下辺の雌実５０内の連結材３０に向かってビス５１を打ち込むことにより、上部パネル２０Ｄを連結材３０に固定する。同時に、上部パネル２０Ｄの背面側から壁Ｗに対向する雌実５０内の壁固定材４１に向かってビス５５を打ち込むことにより、上部パネル２０Ｄを壁固定材４１に固定する。以上のようにして、上部パネル２０Ｄは、先に第１下部パネル２０Ａに固定された連結材３０と先に壁Ｗに固定された壁固定材４１とに固定されることにより、第１下部パネル２０Ａの直上に壁Ｗに対して略垂直に立設される。
【００６４】
上部パネル２０Ｄの施工後、第２下部パネル２０Ｂを施工する（第２下部パネル固定工程）。具体的には、図８に示すように、まず、第１下部パネル２０Ａの設置状態において第２下部パネル２０Ｂに対向する雌実５０に連結材３０を嵌め、第１下部パネル２０Ａの背面側から該雌実５０内の連結材３０に向かってビス５１を打ち込むことにより、連結材３０を第１下部パネル２０Ａに固定する。次に、図９に示すように、第２下部パネル２０Ｂを、床固定材４０が下辺の雌実５０に嵌まり、且つ第１下部パネル２０Ａに固定した連結材３０が第１下部パネル２０Ａに対向する雌実５０に嵌まる所定の設置位置に配置する。そして、第２下部パネル２０Ｂの背面側から下辺の雌実５０内の床固定材４０に向かってビス５３を打ち込むことにより、第２下部パネル２０Ｂを床固定材４０に固定する。同時に、第２下部パネル２０Ｂの背面側から第１下部パネル２０Ａに対向する雌実５０内の連結材３０に向かってビス５１を打ち込むことにより、第２下部パネル２０Ｂを連結材３０に固定する。以上のようにして、第２下部パネル２０Ｂは、先に床Ｆに固定された床固定材４０と先に第１下部パネル２０Ａに固定された連結材３０とに固定されることにより、床Ｆ上の第１下部パネル２０Ａの側方に、第１下部パネル２０Ａと同様に、壁Ｗに対して略垂直に立設される。
【００６５】
第２下部パネル２０Ｂの施工後、第３下部パネル２０Ｃを施工する（第３下部パネル固定工程）。具体的には、図９に示すように、まず、第２下部パネル２０Ｂの設置状態において第３下部パネル２０Ｃに対向する雌実５０に連結材３０を嵌め、第２下部パネル２０Ｂの背面側から該雌実５０内の連結材３０に向かってビス５１を打ち込むことにより、連結材３０を第２下部パネル２０Ｂに固定する。次に、図１０に示すように、第３下部パネル２０Ｃを、床固定材４０が下辺の雌実５０に嵌まり、且つ第２下部パネル２０Ｂに固定した連結材３０が第２下部パネル２０Ｂに対向する雌実５０に嵌まる所定の設置位置に配置する。そして、第３下部パネル２０Ｃの背面側から下辺の雌実５０内の床固定材４０に向かってビス５３を打ち込むことにより、第３下部パネル２０Ｃを床固定材４０に固定する。同時に、第３下部パネル２０Ｃの背面側から第２下部パネル２０Ｂに対向する雌実５０内の連結材３０に向かってビス５１を打ち込むことにより、第３下部パネル２０Ｃを連結材３０に固定する。以上のようにして、第３下部パネル２０Ｃは、先に床Ｆに固定された床固定材４０と先に第２下部パネル２０Ｂに固定された連結材３０とに固定されることにより、床Ｆ上の第２下部パネル２０Ｂの側方に、第１及び第２下部パネル２０Ａ，２０Ｂと同様に、壁Ｗに対して略垂直に立設される。
【００６６】
以上のガイド固定工程、第１下部パネル固定工程、上部パネル固定工程、第２下部パネル固定工程、及び第３下部パネル固定工程により、床Ｆ上において壁Ｗに略垂直な仕切り壁１０が立設される。
【００６７】
−実施形態１の効果−
本実施形態１の仕切り壁１０では、仕切り壁１０を、四周に雌実５０が形成された複数のパネル２０，…，２０を、隣接する２つのパネル２０,２０の雌実５０に跨がる連結材３０で連結することによって構成することとしている。このように四周に雌実５０が形成されたパネル２０を用いることにより、上下と左右が反転しても同様に施工することができる。よって、施工時にパネル２０の向きを確認する必要がなく、仕切り壁１０を容易に施工することができる。
【００６８】
また、本実施形態１の仕切り壁１０では、複数のパネル２０，…，２０が、平行な２枚の矩形状の表面材２１，２１と、２枚の表面材２１，２１の間において２枚の表面材２１，２１の周縁よりも内側の位置に固定された矩形状の枠材２３とによって四周に雌実５０が形成されたパネル２０で構成されている。複数のパネル２０，…，２０をこのように構成することにより、隣接する各２枚のパネル２０，２０の対向する雌実５０，５０に、角材からなる連結材３０を嵌め込んで固定するだけで、各２つのパネル２０，２０を容易にしっかりと連結することができる。また、全てのパネル２０を同様に構成することにより、複数のパネル２０，…，２０を連結する連結材３０を、断面形状の等しい１種類の角材で構成することができる。さらに、角材を連結材３０として用いることにより、仕切り壁１０の強度自体も向上させることができる。
【００６９】
また、本実施形態１の仕切り壁１０では、複数のパネル２０，…，２０のうちの床直上に立置される複数の下部パネル（第１〜第３下部パネル２０Ａ〜２０Ｃ）を、床Ｆに固定された角材からなる床固定材４０が下辺の雌実５０に嵌まるように配置し、床固定材４０に固定することにより、床Ｆ上に立設することとしている。このような構成により、複数の下部パネル（第１〜第３下部パネル２０Ａ〜２０Ｃ）を、下辺の雌実５０を床固定材４０に嵌めながら連結していくだけで、複数の下部パネル（第１〜第３下部パネル２０Ａ〜２０Ｃ）が平行に連結されているかを確認することなく、複数の下部パネル（第１〜第３下部パネル２０Ａ〜２０Ｃ）を容易にゆがみなくしっかりと連結することができる。また、角材を床固定材４０として用いることにより、仕切り壁１０をしっかりと床Ｆの上に自立させることができ、さらに、仕切り壁１０の強度自体も向上させることができる。
【００７０】
また、本実施形態１の仕切り壁１０では、上述のように、各パネル２０の四周に、パネル同士を連結する連結材３０や下部パネル（第１〜第３下部パネル２０Ａ〜２０Ｃ）を床Ｆに固定する床固定材４０が嵌まる雌実５０が形成されている。このような構成により、２つのパネル２０，２０の対向する雌実５０，５０に連結材３０を嵌めてパネル同士を連結する際にも、下部パネル（第１〜第３下部パネル２０Ａ〜２０Ｃ）の下辺の雌実５０に床固定材４０を嵌めて下部パネル（第１〜第３下部パネル２０Ａ〜２０Ｃ）を床Ｆに固定する際にも、各パネル２０の外側から連結材３０又は床固定材４０に向かってビス５１，５３を打ち込むことができるため、各固定作業を容易に行うことができる。
【００７１】
また、本実施形態１の仕切り壁１０では、複数のパネル２０，…，２０を連結する連結材３０が、各パネル２０の枠材２３を構成する角材と断面形状が等しい角材で構成されている。つまり、複数のパネル２０，…，２０の枠材２３と複数のパネル２０，…，２０を連結する連結材３０とを、１種類の角材で構成することができる。そのため、枠材２３を連結材３０に転用したり、連結材３０を枠材２３に転用したりすることができる。
【００７２】
また、本実施形態１の仕切り壁１０では、複数のパネル２０，…，２０のうちの壁Ｗに沿って上下に配置される複数の壁際パネル（第１下部パネル２０Ａ，上部パネル２０Ｄ）を、壁Ｗに固定された角材からなる壁固定材４１が壁Ｗに対向する雌実５０に嵌まるように配置し、壁固定材４１に固定することにより、壁際に施工することとしている。このような構成により、複数の壁際パネル（第１下部パネル２０Ａ，上部パネル２０Ｄ）を、壁Ｗに対向する雌実５０を壁固定材４１に嵌めながら連結していくだけで、複数の壁際パネルが平行に連結されているかを確認することなく、容易にゆがみなく連結することができる。また、角材を壁固定材４１として用いることにより、仕切り壁１０をしっかりと壁Ｗに固定することができ、さらに、仕切り壁１０の強度自体も向上させることができる。
【００７３】
また、本実施形態１の仕切り壁１０では、複数の下部パネル（第１〜第３下部パネル２０Ａ〜２０Ｃ）を床Ｆに固定するための床固定材４０と、複数の壁際パネル（第１下部パネル２０Ａ，上部パネル２０Ｄ）を壁Ｗに固定するための壁固定材４１とを、１種類の角材で構成することができる。そのため、床固定材４０を壁固定材４１に転用したり、壁固定材４１を床固定材４０に転用したりすることができる。
【００７４】
また、本実施形態１の仕切り壁１０では、対面式キッチンＫの背面を覆う仕切り壁１０を、上述のような構成とすることにより、容易にゆがみなく施工することができる。また、このような構成によれば、背面に化粧材が設けられていない壁付け用のキッチンの背面側に上記仕切り壁１０を立設することにより、対面式キッチンＫを安価に且つ容易に施工することができる。
【００７５】
また、本実施形態１の仕切り壁の施工方法では、角材からなる床固定材４０を床Ｆに固定した後、第１及び第２下部パネル２０Ａ，２０Ｂを床固定材４０に順に固定することとしている。このような施工方法により、第１及び第２下部パネル２０Ａ，２０Ｂを、下辺の雌実５０を床固定材４０に嵌めながら連結していくだけで、第１及び第２下部パネル２０Ａ，２０Ｂが平行に連結されているかを確認することなく、容易にゆがみなく一直線に連結することができる。
【００７６】
また、本実施形態１の仕切り壁の施工方法では、角材からなる壁固定材４１を壁Ｗに固定した後、壁際パネルであって上下に隣接する第１下部パネル２０Ａと上部パネル２０Ｄとを壁固定材４１に順に固定することとしている。このような施工方法により、第１下部パネル２０Ａ及び上部パネル２０Ｄを、壁Ｗに対向する雌実５０を壁固定材４１に嵌めながら連結していくだけで、第１下部パネル２０Ａ及び上部パネル２０Ｄが平行に連結されているかを確認することなく、容易にゆがみなく一直線に連結することができる。
【００７７】
また、本実施形態１の仕切り壁の施工方法では、第２下部パネル２０Ｂに隣接する第３下部パネル２０Ｃも、角材からなる床固定材４０に固定することとしている。そのため、第３下部パネル２０Ｃを、下辺の雌実５０を床固定材４０に嵌めながら第２下部パネル２０Ｂに連結するだけで、第３下部パネル２０Ｃが第１及び第２下部パネル２０Ａ，２０Ｂと平行に連結されているかを確認することなく、容易にゆがみなく第１及び第２下部パネル２０Ａ，２０Ｂに平行に連結することができる。
【００７８】
また、本実施形態１では、第２下部パネル２０Ｂを、内部に電気配線の挿通路が形成された機能パネルに構成している。そのため、仕切り壁１０の組み立て時に電気配線用の穴や通路を加工することなく、所定の位置に電気配線の挿通路を確保することができる。また、第２下部パネル２０Ｂの設置前に挿通路に電気配線又は呼び線を挿通させておけば、第２下部パネル２０Ｂを設置するだけで電気配線又は呼び線も所定の位置に配することができるため、後に行う配線作業の手間を削減して配線作業を容易に行うことができる。従って、本実施形態１によれば、対面式キッチンＫを施工する際に、施工現場において電気配線の挿通路の加工作業及び配線作業を行う必要がなくなるため、対面式キッチンＫの施工工期を短縮することができる。
【００７９】
また、本実施形態１では、第２下部パネル２０Ｂに設けられた挿通路が、対面式キッチンＫの上面の上方から下方に亘って形成されている。よって、本実施形態１によれば、給湯器の操作パネル、照明のスイッチ、キッチン備え付けの食洗機の操作パネル等の操作機器や電源コンセントを容易に第２下部パネル２０Ｂ（機能パネル）に取り付けることができる。
【００８０】
また、本実施形態１では、第２下部パネル２０Ｂに電気配線の挿通路が複数形成されている。そのため、複数の電気機器の操作機器や電源コンセント（本実施形態１では、操作パネル８１，８２）を第２下部パネル２０Ｂ（機能パネル）に取り付けることができる。
【００８１】
《その他の実施形態》
上記実施形態１では、仕切り壁１０は、第１〜第３下部パネル２０Ａ〜２０Ｃと、上部パネル２０ＤとをＬ字状に連結することによって構成されていた。しかしながら、本発明に係る仕切り壁１０は、床固定材４０に固定される複数の下部パネルを含む複数のパネルを連結することによって構成されるものであれば、いかなるものであってもよい。２枚の下部パネルと、２枚の下部パネルの直上に立設される２枚の上部パネルとによって構成されるものであってもよく、４枚以上の下部パネルを備えるものであってもよい。また、上下方向に３枚以上のパネルが連結されるものであってもよく、上部パネルを備えず、下部パネルのみで構成されるものであってもよい。
【００８２】
上述のいかなる場合であっても、複数の下部パネルを連結する際には、先に床Ｆに固定された床固定材４０が下辺の雌実５０に嵌まるように、複数の下部パネルを順に床固定材４０に固定することにより、複数の下部パネルが平行に連結されているかを確認することなく、容易にゆがみなく連結することができる。また、複数の壁際パネルを連結する際には、先に壁Ｗに固定された壁固定材４１が壁Ｗに対向する雌実５０に嵌まるように、複数の壁際パネルを順に壁固定材４１に固定することにより、複数の壁際パネルが平行に連結されているかを確認することなく、容易にゆがみなく連結することができる。
【００８３】
上記実施形態１では、各パネル２０と連結材３０、床固定材４０及び壁固定材４１とをビス５１，５３，５５のみで固定していたが、接着剤を併用してもよい。
【００８４】
また、各パネル２０の前面には、施工前に化粧材が取り付けられていてもよく、施工後に取り付けられてもよい。なお、予め化粧材が取り付けられたパネル２０を用いる場合、さらに工期を短縮することができる。また、各パネル２０の前面には、化粧材だけでなく収納棚やフック等を施工してもよい。なお、収納棚等は、各パネル２０の前面だけでなく、背面に施工してもよい。
【００８５】
また、上記実施形態１では、レンジフードＨが取り付けられた上部パネル２０Ｄと、上部パネル２０Ｄの下方に連結される第１下部パネル２０Ａの前面（対面式キッチンＫ側の面）に、不燃材によって構成された化粧材が取り付けられていたが、第２及び第３下部パネル２０Ｂ，２０Ｃの前面にも同様に不燃材からなる化粧材を取り付けてもよい。また、第２及び第３下部パネル２０Ｂ，２０Ｃの前面には、不燃材からなる化粧材ではなく、調湿機能や防水機能を有する化粧材を取り付けてもよい。
【産業上の利用可能性】
【００８６】
本発明は、室内空間を仕切る仕切り壁及びその施工方法に有用である。
【符号の説明】
【００８７】
１０      仕切り壁
２０      パネル
２０Ａ    第１下部パネル
２０Ｂ    第２下部パネル
２０Ｃ    第３下部パネル
２０Ｄ    上部パネル
２１      表面材
２３      枠材
３０      連結材
４０      床固定材
４１      壁固定材
５０      雌実
【図１】
0006915026.tif 000002
【図２】
0006915026.tif 000003
【図３】
0006915026.tif 000004
【図４】
0006915026.tif 000005
【図５】
0006915026.tif 000006
【図６】
0006915026.tif 000007
【図７】
0006915026.tif 000008
【図８】
0006915026.tif 000009
【図９】
0006915026.tif 000010
【図１０】
0006915026.tif 000011